(57)【要約】【課題】  撮影条件、撮影モードの異なる撮影を同一の被写体に対して同時に行なうことができる撮像装置を実現する。【解決手段】  撮像装置は、被写体を撮像することが可能な受光ユニットを複数備えており、受光ユニット毎に撮影条件（シャッタースピード、絞り、ズーム等）、撮影モード（静止画／動画モード、高速連写モード、先幕シンクロ／後幕シンクロモード等）の設定が可能である。そして、シャッターボタンが操作されると設定された撮影条件、撮影モードにしたがって、それぞれの受光ユニットを制御し、それぞれの受光ユニットが被写体を撮影する。【選択図】  図２
2005109979.tif 000002
【特許請求の範囲】
【請求項１】
被写体を撮像する複数の撮影手段を備え、
前記撮影手段毎の撮影条件および／または撮影モードを設定する設定手段と、
前記設定手段により設定された撮影条件および／または撮影モードに従って前記複数の撮影手段を制御する制御手段と、
を備えることを特徴とする撮影装置。
【請求項２】
前記複数の撮影手段によって撮影された画像データを記録手段に記録する記録制御手段を備えることを特徴とする請求項１記載の撮影装置。
【請求項３】
前記複数の撮影手段毎の撮影条件はシャッタースピードであり、
前記設定手段は、前記複数の撮影手段のシャッタースピードをそれぞれ異ならせることを特徴とする請求項１又は２記載の撮影装置。
【請求項４】
前記複数の撮影手段毎の撮影条件は絞りであり、
前記設定手段は、前記複数の撮影手段の絞りをそれぞれ異ならせることを特徴とする請求項１乃至３の何れかに記載の撮影装置。
【請求項５】
前記複数の撮影手段毎の撮影条件はズームであり、
前記設定手段は、前記複数の撮影手段のズームをそれぞれ異ならせることを特徴とする請求項１乃至４の何れかに記載の撮影装置。
【請求項６】
前記設定手段は、
連写して被写体を撮影する撮影モードを設定するとともに、前記撮影手段毎に連写の周期の位相を異ならせることを特徴とする請求項１乃至５の何れかに記載の撮影装置。
【請求項７】
前記設定手段は、
先幕シンクロ及び後幕シンクロで被写体を撮影する撮影モードを設定するとともに、前記撮影手段毎に先幕シンクロ又は後幕シンクロで撮影するか否かを設定することを特徴とする請求項１乃至６の何れかに記載の撮影装置。
【請求項８】
前記設定手段は、
動画撮影及び静止画撮影で被写体を撮影する撮影モードに設定するとともに、前記撮影手段毎に静止画又は動画で撮影するか否かを設定することを特徴とする請求項１乃至５の何れかに記載の撮影装置。
【請求項９】
被写体を撮像する複数の撮影手段を備え、
前記撮影手段毎に撮影条件および／または撮影モードを設定するステップと、
このステップにより設定された撮影条件および／または撮影モードに従って前記複数の撮影手段を制御するステップと、
を備えることを特徴とする撮影方法。
【請求項１０】
前記複数の撮影手段によって撮影された画像データを記録媒体に記録するステップを含むことを特徴とする請求項９記載の撮影方法。
【発明の詳細な説明】
【技術分野】
【０００１】
本発明は、撮影装置及びその撮影方法に係り、詳しくは、撮影条件や撮影モードの異なる撮影を1台で同時に行うことができる撮影装置及び撮影方法に関する。
【背景技術】
【０００２】
従来、デジタルカメラにおいては、被写体の撮影に影響を与えるべく、シャッタースピード、絞り等の撮影条件を変化させて撮影する手法は古くからある銀塩カメラと同様であるが、デジタルカメラにおいは、撮影した画像をその場で直ぐに見ることができ、撮影条件を変えての取り直しが可能である。
また、静止画、動画、連写撮影等の撮影モードを設定して撮影することも可能である。
【０００３】
また、下記特許公開公報には、撮影モードに対応するプログラムが複数設定され、そのプログラム制御に従い撮影する発明が開示されている。詳しくは、絞り、シャッタースピードだけでなく、色合いや感度などデジタル処理を加えたプログラム制御により撮影を行なうというものである。
【０００４】
【特許文献１】公開特許公報  特開２０００−１９６９４６（段落「００３９」および段落「００４６」参照）
【発明の開示】
【発明が解決しようとする課題】
【０００５】
しかしながら、従来のデジタルカメラ（単体のデジタルカメラ）にあっては、予め１つの撮影条件および撮影モードを設定して撮影を行なうため、以下のような問題点があった。
（ａ）予め１つの撮影条件（例えば、シャッタースピード等）等を設定するため、決定的瞬間などの撮り直しがきかないシャッターチャンスの場合に、撮影条件等の設定ミスにより撮影が失敗するということがあった。
（ｂ）撮影条件と撮影モードを１つしか設定できないため、複数の異なった撮影条件および撮影モードで同じ対象物を同時に撮影することができなかった。また、再び撮影条件を変えて撮影したい場合は、撮影時にわざわざ撮影条件等の設定を変えなければならず、手間と時間がかかり、面倒がかかった。
（ｃ）デジタルカメラを用いて連写撮影を行う場合においても、デジタルカメラの機能等の問題から連写撮影のスピードに限界があった。
（ｄ）デジタルカメラを用いて同じ対象物を同時に動画撮影及び静止画撮影を同時に行う場合には、動画撮影を一旦中断し、静止画撮影を行うしかなかった。
（ｅ）また、上記した（ａ）〜（ｃ）は1台で撮影する場合であり、どうしても撮影条件や撮影モードを変えて同時に被写体を撮影したい場合は、２つの別個のデジタルカメラを予め用意しておき、撮影条件と撮影モードをそれぞれ変えた２つデジタルカメラを1人で持って、被写体を撮影するしかなく、手間がかかり、面倒であった。
【０００６】
そこで本発明は、かかる従来の問題点に鑑みてなされたものであり、単体のデジタルカメラで撮影条件や撮影モードの異なる複数の画像を同時に撮影することができ、また、動画撮影の中断を伴わない静止画撮影を容易に行うことができる撮影装置及びその撮影方法を提供することを目的とする。
【課題を解決するための手段】
【０００７】
上記目的達成のため、請求項１記載の発明による撮影装置は、被写体を撮像する複数の撮影手段を備え、
前記撮影手段毎に撮影条件および／または撮影モードを設定する設定手段と、
前記設定手段により設定された撮影条件および／または撮影モードに従って前記複数の撮影手段を制御する制御手段と、
を備えることを特徴とする。
また、請求項２に記載されているように、前記複数の撮影手段によって撮影された画像データを記録手段に記録する記録制御手段を備えるようにしてもよい。
【０００８】
また、例えば、請求項３に記載されているように、前記複数の撮影手段毎の撮影条件はシャッタースピードであり、
前記設定手段は、前記複数の撮影手段のシャッタースピードをそれぞれ異ならせるようにしてもよい。
また、請求項４に記載されているように、前記複数の撮影手段毎の撮影条件は絞りであり、
前記設定手段は、前記複数の撮影手段の絞りをそれぞれ異ならせるようにしてもよい。
また、請求項５に記載されているように、前記複数の撮影手段毎の撮影条件はズームであり、
前記設定手段は、前記複数の撮影手段のズームをそれぞれ異ならせるようにしてもよい。
【０００９】
また、例えば、請求項６に記載されているように、前記設定手段は、
連写して被写体を撮影する撮影モードを設定するとともに、前記撮影手段毎に連写の周期の位相を遅らせるようにしてもよい。
連写撮影とは、被写体を一定の周期で連続して撮像することである。
【００１０】
また、請求項７に記載されているように、前記設定手段は、
先幕シンクロ及び後幕シンクロで被写体を撮影する撮影モードを設定するとともに、前記撮影手段毎に先幕シンクロ又は後幕シンクロで撮影するか否かを設定するようにしてもよい。
先幕シンクロとは、シャッターを開く直後にストロボを発光して被写体を撮影することである。また、後幕シンクロとは、シャッターを閉じる直前にストロボを発光させて被写体を撮影することである。
また、請求項８に記載されているように、前記設定手段は、
動画撮影及び静止画撮影で被写体を撮影する撮影モードに設定するとともに、前記撮影手段毎に静止画又は動画で撮影するか否かを設定するようにしてもよい。
【００１１】
上記目的達成のため、請求項９記載の発明による撮影方法は、被写体を撮像する複数の撮影手段を備え、
前記撮影手段毎に撮影条件および／または撮影モードを設定するステップと、
このステップにより設定された撮影条件および／または撮影モードに従って前記複数の撮影手段を制御するステップと、
を備えることを特徴とする。
また、請求項１０に記載されているように、前記複数の撮影手段によって撮影された画像データを記録媒体に記録するステップを含むようにしてもよい。
【発明の効果】
【００１２】
請求項１及び９記載の発明によれば、１台の撮影装置で撮影条件および／または撮影モードの異なった複数の画像を同時に撮影したい場合においても、撮影手段を複数備えているので、手間がかからずに、容易に撮影することができる。
また、異なった印象を与える画像を容易に複数撮影することができ、ユーザが一番気に入った画像を後から選択することができる。
さらに、シャッターチャンスなどの撮り直しのきかない場合であっても、複数の撮影条件等で撮影しているので、ユーザが一番気に入ったベストショットを後から選択することができる。
請求項３及び４記載の発明による撮影装置によれば、1台の撮影装置でシャッタースピード、絞りを撮影手段毎にそれぞれ異ならせることができるので、カメラ撮影の技術がない人でも、適切なシャッタースピード、絞りで撮られた画像を後で選択することができる。
また、故意にシャッタースピード、絞りを異ならせて、簡易に多彩な画像を撮ることもできる。
【００１３】
請求項５記載の発明による撮影装置によれば、ズームの設定を撮影手段ごとにそれぞれ異ならせることができるので、例えば、一方を広角側、他方を望遠側とすることにより、ＰｉｎＰの画像を容易に撮影することができる。
【００１４】
請求項６記載の発明によれば、撮像手段毎に交互に連写撮影するので、従来のデジタルカメラよりも数倍の速さで撮影することができるばかりでなく、撮影条件を撮像手段毎に異ならせることにより、従来には見られない多彩な連写撮影が可能となる。
請求項７記載の発明によれば、容易に同一の被写体をほぼ同時に、先幕シンクロ、後幕シンクロと撮影することができ、さらに撮影条件を異ならせることにより、先幕シンクロで撮影した画像と後幕シンクロで撮影した画像とでは、まるっきり異なった印象を与えることができる。また、先幕シンクロ、後幕シンクロで連写撮影することにより、従来には見られない、高速で多彩な連写撮影を簡易に行うことができる。
【００１５】
請求項８記載の発明によれば、複数の撮影手段毎に静止画又は動画で撮影するか否かを設定することができるので、容易に動画撮影と静止画撮影を同時に撮影することができる。また、動画撮影と静止画撮影を別々に撮影することにより、動画撮影の中断を伴わずに静止画撮影を行うことができ、また、一番気に入った、印象的な場面を静止画として撮影することができる。
また、撮影した静止画像を動画のサムネイル画像として使用することもできる。さらに、一番気に入った、印象的な画像をサムネイル画像とする事により、ユーザがそのサムネイル画像を見ただけで、「この動画は、あの時の動画か」と容易に識別することができる。
【発明を実施するための最良の形態】
【００１６】
以下、本発明の実施の形態を、デジタルカメラ（1台）に適用した一例として図面を参照して説明する。
【００１７】
[実施の形態]
図１は、デジタルカメラ１の概略構成を示すブロック図である。図１のデジタルカメラ１は、ＣＣＤ２、ＣＣＤ３、ＴＧ（timing Generator）４、ユニット回路５、ＣＰＵ６、ＤＲＡＭ７、ＲＯＭ８、ＲＡＭ９、画像表示部１０、キー入力部１１、カードＩ／Ｆ１２、レンズ１４、レンズ１５、絞り兼用シャッター１６、絞り兼用シャッター１７、モータ駆動ブロック１８、モータ駆動ブロック１９を備えており、カードＩ／Ｆ１２には、図示しないカメラ本体のカードスロットに着脱自在に装着されたメモリ・カード１３が接続されている。
【００１８】
レンズ１４、１５は図示しないフォーカスレンズ、ズームレンズから構成されている。また、駆動ブロック１８、１９はフォーカスレンズ、ズームレンズを光軸方向に駆動するフォーカスモータ及びズームモータと、ＣＰＵ６から送られる制御信号に従いフォーカスモータ及びズームモータをそれぞれ駆動するモータドライバとから構成されている（図示略）。
絞り兼用シャッター１６、絞り兼用シャッター１７は図示しない駆動回路を含み、駆動回路はＣＰＵ６から送られる制御信号に従って絞り兼用シャッターを動作させる。また、絞り兼用シャッター１６は、ＣＣＤ２とレンズ１４との間に設置され、絞り兼用シャッター１７は、ＣＣＤ３とレンズ１５との間に設置されている。
【００１９】
ＣＣＤ２はレンズ１４を介して投影された被写体を光電変換し撮像信号としてユニット回路５に出力する。ＣＣＤ３はレンズ１５を介して投影された被写体を光電変換し撮像信号としてユニット回路５に出力する。なお、ＣＣＤ２及びＣＣＤ３は同一の被写体に向かって、互いの光軸が平行になるように設定されている。
また、ＣＣＤ２、ＣＣＤ３は、ＴＧ４によって生成された所定周波数のタイミング信号によって駆動される。ＴＧ４にはユニット回路が接続されている。ユニット回路５は、ＣＣＤ２及びＣＣＤ３から出力される撮像信号を相関二重サンプリングして保持するＣＤＳ（Correlated Double Sampling）回路、その撮像信号を増幅するゲイン調整アンプ（ＡＧＣ）、増幅後の撮像信号をデジタル信号に変換するＡ／Ｄ変換器（ＡＤ）から構成されており、ＣＣＤ２、ＣＣＤ３の出力信号はユニット回路５を経てデジタル信号としてＣＰＵ６に送られる。
【００２０】
画像表示部１０はカラーＬＣＤとその駆動回路とを含み、撮影待機状態にあるときにはＣＣＤ２及びＣＣＤ３によって撮像された被写体画像をスルー画像として表示し、記録画像の再生時には保存用メモリ・カード１３から読み出され伸張された記録画像（静止画又は動画）を表示する。キー入力部１１はシャッターボタン、実行キー、キャンセルキー、電源キー、ＭＥＮＵキー等の複数の操作キーを含み、使用者によるキー操作に応じたキー入力信号をＣＰＵ６に出力する。
【００２１】
ＤＲＡＭ７はＣＣＤ２、ＣＣＤ３により撮像された後、デジタル化された被写体の画像データを一時記憶するバッファメモリとして使用されるとともに、ＣＰＵ６のワーキングメモリとしても使用される。
ＲＯＭ８、ＲＡＭ９にはＣＰＵ６による各部の制御に必要な制御プログラム及び必要なデータが格納されている。特に、撮影条件（シャッタースピード、絞り、ズーム、強調色、感度等）、撮影モード（静止画／動画モード、高速連写モード、先幕／後幕シンクロ等）のプログラム、データが記録されている。
【００２２】
ここで、静止画／動画モードとは、どちらか一方のＣＣＤで静止画を撮像し、他方のＣＣＤで動画を撮像する撮影モードことである。
また、高速連写モードとは、ＣＣＤ２及びＣＣＤ３が一定間隔で被写体を連続的に撮像することであり、絞り兼用シャッター１６の開閉の周期と絞り兼用シャッター１７の開閉の周期とは同じ周期であるが位相が半周期ずれており、それぞれのＣＣＤ２、ＣＣＤ３が被写体を連続的に撮像する撮影モードのことである。なお、周期の遅れは半周期に限らず、任意に設定することもできる。
【００２３】
そして、先幕シンクロ／後幕シンクロモードとは、どちらか一方のＣＣＤによって先幕シンクロで被写体を撮像し、他方のＣＣＤによって後幕シンクロで被写体を撮像する撮影モードのことである。先幕シンクロとは、絞りシャッターを開くと同時に図示しないストロボを発光させて被写体を撮像することであり、後幕シンクロとは、絞りシャッターを閉じる直前にストロボを発光させて被写体を撮像することである。
【００２４】
このとき、例えば、ＣＣＤ２で先幕シンクロ、ＣＣＤ３で後幕シンクロとして撮像する場合は、まず、絞り兼用シャッター１６を開くと同時にストロボを発光させ、ＣＣＤ２によって先幕シンクロ画像の撮像を開始する。このときは、絞り兼用シャッター１７は閉じたままである。そして、ストロボの光が十分なくなってから、絞り兼用シャッター１７を開き、ＣＣＤ３によって後幕シンクロ画像の撮像を開始する。そして、先幕シンクロの撮像が終了してから（絞り兼用シャッター１６が閉じてから）ストロボを発光させて、後幕シンクロの撮像を終了する（絞り兼用シャッター１７を閉じる）。
したがって、ＲＯＭ８、ＲＡＭ９には、絞り兼用シャッター１６、１７を制御したり、先幕／後幕によってストロボを発光させるタイミングを制御したりするプログラム等が記録されている。
【００２５】
ユーザがキー入力部１１を操作することにより撮影条件、撮影モードが選択された場合は、ＣＰＵ６は、ＲＡＭ、ＲＯＭ上から該選択されたプログラム、データを読み出し、該選択されたプログラム、データにしたがって、レンズ１４及びレンズ１５、絞り兼用シャッター１６及び絞り兼用シャッター１７等を制御し、また、選択された撮影モードにしたがって、静止画又は動画撮影等を行う。
【００２６】
つまり、ＣＣＤ２、レンズ１４、絞り兼用シャッター１６、ＴＧ４、ユニット回路５、ＣＰＵ６は、本発明の撮像手段を構成し、ＣＣＤ３、レンズ１５、絞り兼用シャッター１７、ＴＧ４、ユニット回路５、ＣＰＵ６も、本発明の撮像手段を構成する。本実施の形態のデジタルカメラ１は、1台で２つの撮像手段を有することになる。
そして、ＣＰＵ６、ＲＯＭ８、ＲＡＭ９は、本発明の設定手段、制御手段を構成する。
【００２７】
次に、動作を説明する。
図２〜図５は本実施の形態におけるデジタルカメラの動作を説明するためのフローチャートである。
図６は画像表示部に表示された画像の一例を示す図である。
図６（ａ）は撮影しようとする風景をスルー画像を通して、画像表示部１０に表示させたときの画像の一例を示す図である。画像１００は、家１１０、山１３０、山と大地の境界線１２０とから構成されている。
次に、図２〜図５のフローチャートに従って説明する。
図２において、ステップＳ１で、ユーザは受光ユニットＡ、Ｂのそれぞれの撮影条件、撮影モードを選択する。ここで、受光ユニットＡは、ＣＣＤ２、レンズ１４、絞り兼用シャッター１６、モータ駆動ブロック１８、ＴＧ４、ユニット回路５及びＣＰＵ６で構成され、受光ユニットＢは、ＣＣＤ３、レンズ１５、絞り兼用シャッター１７、モータ駆動ブロック１９、ＴＧ４、ユニット回路５及びＣＰＵ６で構成される。また、どちらかの受光ユニットだけを選択することにより、選択された受光ユニットのみで撮像することもできる。また、便宜上、２つの受光ユニットを有する1台のデジタルカメラ1を用いて説明するが、これに限るものではなく、３つ以上の受光ユニットを備えたデジタルカメラであってもよい。
【００２８】
次に撮影条件とは、シャッタースピード、絞り、強調色、ズーム、感度等のことをいい、撮影条件はＲＯＭ８、ＲＡＭ９上に記録されている。ズームとは、望遠側、広角側をいう。撮影モードとは、どちらか一方の受光ユニットを静止画撮影、他方の受光ユニットを動画撮影とする静止画／動画モード、連続して被写体を撮影する高速連写モード、先幕シンクロ／後幕シンクロモードがある。また、静止画／動画モードを選択し、片方の受光ユニットのみで撮像することにより、普通の動画撮影のみを行うこともできる。さらに、撮影モードの中に、動画撮影モードというものを設けてもよい。
なお、撮影モードを選択しない場合は、あらかじめ定められた方法による撮影が行われるようにしておくものとする。ここでは、その一例として静止画撮影が行なわれる場合の例を以下に説明する。
ユーザによる撮影モードの選択があった場合、または、選択がなされずにあらかじめ定められた撮影が行われる場合には、ステップＳ２に進み、ユーザにより撮影モードの選択があるか否かを判別する。撮影モードの選択がある場合には、ＹＥＳに分岐する。撮影モードの選択については、後で詳細に述べる。
【００２９】
まず、ユーザによって撮影条件のみの選択があった場合を説明する。
撮影モードの選択がない場合には、ステップＳ３に進み、選択された撮影条件に従って、受光ユニットＡ、受光ユニットＢをそれぞれ設定する。これにより、受光ユニットＡのシャッタースピード、絞り、ズーム等と、受光ユニットＢのシャッタースピード、絞り、ズーム等とが異なった数値、値等となり、同じ被写体を撮影した場合でも、受光ユニットＡと受光ユニットＢとでは撮影した画像が異なった印象を与えることになる。なお、撮影条件の選択がない場合には、自動的に撮影条件を設定するようにしてもよいし、前回撮影した撮影条件を設定するようにしてもよい。
【００３０】
次いで、ステップＳ４に進み、受光ユニットＡ、受光ユニットＢによる撮像を開始して、被写体のスルー画像を画像表示部１０に表示させる。このとき、受光ユニットＡにより撮像された画像と、受光ユニットＢにより撮像された画像を左右に分割して画像表示部１０に表示させる。あるいはまた、一方の受光ユニットによる撮像画像を全画面表示し、もう一方の受光ユニットによる撮像画像を子画面等の形式で表示することとしても差し支えない。また、撮影条件等の選択時に、どちらか一方の受光ユニットにより撮像された画像をスルー画像として表示させるようにもよい。なお、どちらか一方の受光ユニットを広角側、他方の受光ユニットを望遠側、と設定した場合には、ＣＣＤ２とＣＣＤ３によって撮像された映像を左右に分割して表示させることが望ましい。
【００３１】
次いで、ステップＳ５に進み、シャッターボタン操作がされたか否かを判別し、操作があった場合には、ステップＳ６に進み、静止画撮影処理を行う。ここで、ＣＣＤ２、ＣＣＤ３に比較的長い出力撮像タイミングで１画面中の偶数ラインの画素信号と、奇数ラインの画素信号とを順に出力し、全面素分のデータをバッファメモリ（ＤＲＡＭ７）に取り込む。なお、ここでは、シャッターボタンが操作された場合は、受光ユニットＡと受光ユニットＢとで同時に撮影するようにしているが、これに限らず、受光ユニットＡ、受光ユニットＢとで別々に撮影するようにしてもよい。つまり、受光ユニットＡと受光ユニットＢとでは撮影する時刻を異ならせることができる。
一方、ステップＳ５でシャッターボタン操作がない場合には、ステップＳ５に留まり、操作があるまでスルー画像表示を継続する。
【００３２】
次いで、ステップＳ７に進み、撮影した静止画像を画像表示部１０に表示させる。このとき撮影した画像の表示の方法としては、受光ユニットＡ及び受光ユニットＢにより撮影された画像を左右に分割して画像表示部１０に表示させる。または、どちらか一方の受光ユニットにより撮影された画像を画像表示部１０に表示し、ユーザがキー入力部１１を操作することにより、他方の受光ユニットにより撮像された画像を画像表示部１０に表示させてもよい。この場合は、キー入力部１１の操作により、表示される画像が切り替わる。なお、キー入力部１１の操作ではなくて、所定の時間間隔で画像が切り替わるようにしてもよい。
【００３３】
また、図６（ｂ）は、受光ユニットＡを広角側として同図（ａ）を撮像したときの画像１４０を示すものであり、図６（ｃ）は、受光ユニットＢを望遠側として同図（ａ）を撮像したときの画像１５０を示すものである。
受光ユニットＡ及び受光ユニットＢで撮影した画像を画像表示部１０に表示する際には、図６（ｄ）に示すように、受光ユニットＡで撮像した画像１４０を主体的に表示させ、受光ユニットＢで撮像した画像１５０を右上のほうに小さく表示させてもよい。また、それとは逆に、同図（ｅ）に示すように、受光ユニットＢで撮像した画像１５０を主体的に表示させ、受光ユニットＢで撮像した画像１４０を右上に小さく表示させてもよい。
つまり、受光ユニットＡ及び受光ユニットＢで撮像した画像をＰｉｎＰ（Picture in Picture）にて表示させるようにしてもよい。
【００３４】
次いで、ステップ８に進み、受光ユニットＡ，受光ユニットＢにより撮影された画像を記録するか否かを判断し、記録すると判断した場合は、ＤＲＡＭ７に取り込んだ画像データを圧縮し、静止画ファイル（ＪＰＥＧ形式等のファイル）を生成し、メモリ・カード１３に記録する。このときも、受光ユニットＡで撮影された画像と受光ユニットＢで撮影された画像とをＰｉｎＰにて記録するようにしてもよい。また、キー入力部１１の操作により、例えば、受光ユニットＡで撮影した画像のみを記録し、受光ユニットＢで撮影した画像を記録しないようにしてもよい。記録が終了したらリターンする。
また、ステップＳ８で記録しないと判断したときも、リターンする。
なお、リターンの際には、例えば、ユーザによりキー入力部１１の操作がない場合には、設定した撮影条件のままで再び撮影ができるようにしてもよい。
【００３５】
次に、ユーザによって撮影モードの選択があった場合を説明する。
まず、最初に静止画／動画モードの選択があった場合のデジタルカメラ１の動作を図３のフローチャートに従って説明する。
ステップＳ２でユーザから撮影モードの選択があると判断すると、図３のステップ１１に進み、静止画／動画モードであるか否かを判断する。静止画／動画モードである場合には、ステップＳ１２に進み、選択された撮影条件、静止画／動画モードに従って、受光ユニットＡ、受光ユニットＢをそれぞれ設定する。ここでは、受光ユニットＡを静止画撮影モード、受光ユニットＢを動画撮影モードと設定したものとする。
次いで、ステップＳ１３に進み、スルー画像を画像表示部１０に表示させる。このときも、受光ユニットＡ、受光ユニットＢにより撮像された画像を左右に分割して表示させる。また、撮影条件等の選択時に、どちらか一方の受光ユニットにより撮像された画像をスルー画像として表示させるようにしてもよい。
次いで、ステップＳ１４に進む。
【００３６】
ステップＳ１４では、シャッターボタンが操作されたか否かを判別し、操作があったと判断するとステップＳ１５及びステップＳ１７に進む。なお、このステップＳ１５とステップＳ１７は、それぞれ受光ユニットＡとＢの動作を別々に分けて表したものであり、実際には、１台のデジタルカメラ１の内部で並列処理的に実行されるものである。一方、シャッターボタンが操作されない場合は、操作があるまで、ステップＳ１４に留まり、スルー画像表示を継続する。
まず、静止画撮影について説明する。
ステップＳ１５に進むと、受光ユニットＡは静止画撮影処理を開始する。つまり、ＣＣＤ２に比較的長い出力撮像タイミングで１画面中の偶数ラインの画素信号と、奇数ラインの画素信号とを順に出力し、全面素分のデータをバッファメモリ（ＤＲＡＭ７）に取り込む。
次いで、ステップＳ１６に進み、ＤＲＡＭ７に取り込んだ画像データを圧縮し、静止画ファイル（ＪＰＥＧ形式等のファイル）を生成し、メモリ・カード１３に記録する。
【００３７】
次に、動画撮影について説明する。
ステップＳ１７に進むと、受光ユニットＢは動画撮影処理を開始する。つまり、所定のフレームレート（１／３０秒等の固定周期）で画像（動画フレーム）を撮像し記憶する動画撮影処理を開始する。次いで、ステップＳ１８に進み、シャッターボタンが操作されたか否かを判断し、押下された場合は、ステップＳ１９に進み、動画撮影処理を停止する。なお、シャッターボタンの押下によって動画を停止する代わりに、動画撮影開始後、所定時間が経過したら、自動的に動画撮影を終了するようにしても良い。
次いで、ステップＳ２０に進み、それまでの間にバッファメモリ（ＤＲＡＭ７）上に展開されている動画データを用いて動画ファイルを生成し、メモリ・カード１３に記録する。
そして、静止画、動画をメモリ・カード１３に記録するとリターンする。このとき、ユーザによりキー入力部１１の操作がない場合には、設定した撮影条件、静止画／動画モードのままで再び撮影ができるようにしてもよい。
【００３８】
なお、このときに記録した静止画像を記録した動画像のサムネイル画像として関連付けて記録してもよい。さらに、受光ユニットＡ、受光ユニットＢの撮影開始時期を異ならせるようにしてもよい。これにより、ユーザが一番気に入った画像を静止画として撮影することで、この画像を動画像のサムネイル画像として使用することもできる。
【００３９】
次に、高速連写モードの選択があった場合のデジタルカメラ１の動作を図４のフローチャートにしたがって説明する。
ステップＳ１１で、撮影モードが静止画／動画モードでないと判断すると、図４のステップＳ３１に進む。
ステップＳ３１で、撮影モードが高速連写モードであるか否かを判断する。高速連写モードである場合には、ステップＳ３２に進む。ステップＳ３２で、選択された撮影条件、高速連写モードに従って、受光ユニットＡ及び受光ユニットＢを設定する。高速連写モードとは、受光ユニットＡ、受光ユニットＢのそれぞれが連写で、例えば、０．２秒間隔で被写体を連続的に撮影することである。また、受光ユニットＡと受光ユニットＢの連写撮影の周期は同じであるが、位相が半周期ずれている。
【００４０】
したがって、この場合だと、受光ユニットＡ及び受光ユニットＢはそれぞれ０．２秒間隔で被写体を連写撮影するが、受光ユニットＡと受光ユニットＢは半周期遅れて撮影するので、結果的に、単体の受光ユニットの連写モードより２倍の、つまり０．１秒間隔で連写撮影が可能となる。また、受光ユニットが複数あれば、例えば４個あれば、４倍の、つまり、０．０５秒間隔で連写撮影が可能となる。この場合は、受光ユニットがそれぞれ１／４周期ずつ、つまり０．０５秒遅れて被写体を撮像する。
なお、位相の遅れをＴ／２としているがＴ／Ｎにしてもよい（Ｔ：周期、Ｎ：自然数、又は、受光ユニットの数）。
【００４１】
次いで、ステップＳ３３に進み、画像表示部１０にスルー画像を表示させる。このときも、受光ユニットＡ、受光ユニットＢにより撮像された画像を左右に分割して画像表示部１０に表示させる。また、撮影条件等の選択時に、どちらか一方の受光ユニットにより撮像された画像をスルー画像として表示させるようにもよい。
次いで、ステップＳ３４でシャッターボタン操作があるか否かを判断する。ステップＳ３４でシャッターボタンの操作があると判断した場合には、ステップＳ３５に進み、受光ユニットＡは撮影処理を開始する。このとき撮影した画像をａ１とする。次いで、ステップＳ３６に進み、半周期遅れて受光ユニットＢも撮影処理を開始する。このときの撮影した画像をｂ１とする。
【００４２】
次いで、ステップＳ２７に進み、撮影した画像が所定枚数に達したか否かを判断する。例えば、所定枚数が５と設定されている場合は、まだ、受光ユニットＡ、Ｂはそれぞれ一枚しか撮影していないので、所定枚数に達していないと判断し、ステップＳ２５に戻り、高速連写撮影を継続する。そして、受光ユニットＡで撮影した画像ａ２、受光ユニットＢで撮影した画像ｂ２、というように、画像ａ５、画像ｂ５まで撮影する。
ここで、ステップＳ２７で所定枚数としているが、ＤＲＡＭ７の空き容量がなくなるまで高速連写で撮影してもよい。
また、所定枚数は、予め設定されていてもよく、ユーザが任意に設定できるようにしてもよい。
【００４３】
ステップＳ２７で所定枚数に達したと判断すると、ステップＳ２８に進み、撮影した画像を画像表示部１０に表示させる。
このときは、高速連写モードで撮影をした画像を、撮影時刻の早い順に表示させる。つまり、受光ユニットＡで最初に撮影した画像ａ１、次に、受光ユニットＢで撮影した画像ｂ１、さらに画像ａ２、画像ｂ２、・・・、画像ａ５、画像ｂ５というように受光ユニットＡで撮影した画像と受光ユニットＢで撮影した画像を交互に表示させる。このときの画像の切り換わりは、ユーザがキー入力部１１を操作することにより画像が切り換わるようにしてもよいし、所定の時間間隔で自動的に切り換わるようにしてもよい。
また受光ユニットＡ及びＢで撮影したすべての画像を撮影時刻の早い順に並べて画像表示部１０に縮小表示させるようにしてもよいし、何画像ずつかに分けて画像表示部１０に表示させるようにしてもよい。また、受光ユニットＡで撮影した画像と受光ユニットＢで撮影した画像とを分けて別々に表示させるようにしてもよい。
【００４４】
次いで、ステップＳ３９に進み、撮影された画像を記録するか否かを判断し、記録すると判断した場合は、ステップＳ４０に進み、ＤＲＡＭ７に取り込んだ画像データを圧縮し、静止画ファイル（ＪＰＥＧ形式等のファイル）を生成し、メモリ・カード１３に記録したらリターンする。
次いで、ステップＳ３９で、撮影された画像を記録しないと判断した場合でもリターンする。この場合も、ユーザによりキー入力部１１の操作がない場合には、設定した撮影条件、高速連写モードのままで再び撮影ができるようにしてもよい。
【００４５】
次に、ユーザによって先幕シンクロ／後幕シンクロモードの選択があった場合を図５、図７を用いて説明する。
図５は先幕シンクロ／後幕シンクロモードの選択があったときのデジタルカメラ１の動作を示すフローチャートである。
図７は、先幕シンクロ及び後幕シンクロのシャッターの開閉及びストロボ発光の動作と時間の関係を示した図である。ｔは時間軸を表わす。
ステップＳ３１で高速連写モードでないと判断すると、ステップＳ５１に進み、先幕シンクロ／後幕シンクロモードであると判断する。そして、ステップＳ５２に進む。
ステップＳ５２で、選択された撮影条件、先幕シンクロ／後幕シンクロモードに従って、受光ユニットＡと受光ユニットＢを設定する。ここでは、受光ユニットＡを先幕シンクロ、受光ユニットＢを後幕シンクロと設定したものとする。
【００４６】
先幕シンクロとは、シャッターを開くと同時にストロボ発光させて静止画像を撮影することをいい、後幕シンクロとは、シャッターを閉じる直前にストロボ発光させて静止画像を撮影することをいう。
次いで、ステップＳ５３に進み、スルー画像を画像表示部１０に表示させる。このときも上述したように、受光ユニットＡ、Ｂで撮像された画像を左右に分割して表示させるようにしてもよいし、どちらかの受光ユニットで撮像された画像を表示するようにしてもよい。
そして、ステップＳ５４に進み、シャッターボタン操作があるか否かを判断し、シャッターボタン操作があった場合は、ステップＳ５５に進み、シャッターボタン操作がない場合には、操作があるまでステップ５４に留まる。
次に、ステップＳ５５に進み、受光ユニットＡの先幕シンクロの静止画撮影処理を開始する。ここで、受光ユニットＡのシャッターを開くと同時にストロボを発光させる（図７参照）。
【００４７】
次いで、ステップＳ５６に進み、図７に示すように、受光ユニットＡの静止画撮影処理開始からｘ時間後に受光ユニットＢの静止画撮影処理を開始する。このｘ時間は、受光ユニットＡのシャッターを開くと同時に、発光された光が十分になくなるまでの時間である必要がある。光が残像しているうちに受光ユニットＢのシャッターを開いてしまうと、受光ユニットＢで撮影した画像が、後幕シンクロとならないからである。
そして、受光ユニットＡのシャッター時間が経過し、受光ユニットＡのシャッターを閉じてから、ｘ時間後に受光ユニットＢのシャッター時間が経過するので、シャッター時間が経過する直前に、ストロボを発光し受光ユニットＢのシャッターを閉じる。なお、ここでは、受光ユニットＡと受光ユニットＢのシャッタースピードが同一の場合で説明しているが、これに限るものではなく、受光ユニットＡと受光ユニットＢのシャッタースピードを異ならせるようにしても、後幕シンクロ／先幕シンクロの静止画撮影を行うことができる。ここで、シャッタースピードを異ならせる場合には、シャッタースピードの短いほうの撮影を先幕シンクロとして撮影する。
【００４８】
要は、先幕シンクロのために発光された光が十分なくなってから、後幕シンクロで撮影する受光ユニットのシャッターを開き、後幕シンクロのためにストロボを発光するときには、先幕シンクロの撮影が終わって（シャッターが閉じて）いなければならない。
以上の動作により、受光ユニットＡで撮影した画像は先幕シンクロ、受光ユニットＢで撮影した画像は後幕シンクロとなる。
【００４９】
次いで、ステップＳ５７に進み、撮影した静止画像を画像表示部１０に表示させる。このとき撮影した画像の表示の方法としては、受光ユニットＡ及び受光ユニットＢにより撮影された画像を左右に分割して画像表示部１０に表示させる。または、どちらか一方の受光ユニットにより撮影された画像を画像表示部１０に表示し、ユーザがキー入力部１１を操作することにより、他方の受光ユニットにより撮像された画像を画像表示部１０に表示させてもよい。この場合は、キー入力部１１の操作により、表示される画像が切り替わる。なお、キー入力部１１の操作ではなくて、所定の時間間隔で画像が交互に切り替わるようにしてもよい。
【００５０】
次いで、ステップＳ５８に進み、受光ユニットＡ及び受光ユニットＢで撮影された画像を記録するか否かを判断し、記録すると判断した場合は、ＤＲＡＭ７に取り込んだ画像データを圧縮し、静止画ファイル（ＪＰＥＧ形式等のファイル）を生成し、メモリ・カード１３に記録する。このときに、例えば、受光ユニットＡで撮影された画像を記録し、受光ユニットＢで撮影した画像を記録しないようにしてもよい。
記録が終了したらリターンする。
また、ステップ５８で記録しないと判断したときも、リターンする。
なお、リターンの際には、ユーザによりキー入力部１１の操作がない場合には、設定した撮影条件のままで再び撮影ができるようにしてもよい。
【００５１】
以上のように、本実施の形態によれば、１台のデジタルカメラで撮影条件、撮影モードの異なった複数の画像を同時に撮影したい場合においても、受光ユニットを複数備えているので、手間がかからずに、容易に撮影することができる。
また、異なった印象を与える画像を容易に同時に複数撮影することができ、ユーザが一番気に入った画像を後から選択することができる。
さらに、シャッターチャンスなどの撮り直しのきかない場合であっても、複数の撮影条件等で撮影しているので、ユーザが一番気に入ったベストショットを後から選択することができる。
【００５２】
また、1台のデジタルカメラでシャッタースピード、絞りを受光ユニットごとにそれぞれ異ならせることができるので、カメラ撮影の技術がない人でも、適切なシャッタースピード、絞りで撮られた画像を後で選択することができる。
また、故意にシャッタースピード、絞りを異ならせて、簡易に多彩な画像を取ることもできる。
【００５３】
また、ズームの設定を受光ユニットごとにそれぞれ異ならせることができるので、例えば、一方を広角側、他方を望遠側とすることにより、ＰｉｎＰの画像を容易に撮影することができる。
また、受光ユニットごとに交互に連写撮影するので、従来のデジタルカメラよりも数倍の速さで撮影することができるばかりでなく、撮影条件を受光ユニットごとに異ならせることにより、従来には見られない多彩な連写撮影が可能となる。
また、容易に同一の被写体をほぼ同一に、先幕シンクロ、後幕シンクロと容易に撮影することができ、さらに撮影条件を異ならせることにより、先幕シンクロで撮影した画像と後幕シンクロで撮影した画像とでは、まるっきり異なった印象を与えることができる。
【００５４】
さらに、複数の受光ユニットごとに静止画又は動画で撮影するか否かを設定することができるので、容易に動画撮影と静止画撮影を同時に撮影することができる。また、動画撮影と静止画撮影を別々に撮影することにより、動画撮影の中断を伴わずに静止画撮影を行うことができ、また、一番気に入った、印象的な場面を静止画として撮影することができる。
また、撮影した静止画像を動画のサムネイル画像として使用することもできる。さらに、一番気に入った、印象的な画像をサムネイル画像とする事により、ユーザがそのサムネイル画像を見ただけで、「この動画は、あの時の動画か」と容易に識別することができる。
【００５５】
変形例として、受光ユニットＡで動画撮影を行い、受光ユニットＢで先幕シンクロ又は後幕シンクロを撮影したり、連写撮影を行うようにしてもよい。
また、受光ユニットＡで先幕又は後幕シンクロとして撮影を行い、受光ユニットＢで、連写撮影を行うようにしてもよい。
更に、受光ユニットＡで先幕シンクロ、受光ユニットＢで後幕シンクロと設定し、受光ユニットＡ及び受光ユニットＢで被写体を連続的に撮影するようにしてもよい。つまり、先幕シンクロ、後幕シンクロで連写撮影することにより、従来には見られない、高速で多彩な連写撮影を簡易に行うことができる。
すなわち、本実施の形態におけるデジタルカメラは、複数の受光ユニットを備えており、それぞれの受光ユニットが独立して画像を撮影することができる。
これにより、多彩な撮影を容易に行うことができ、撮影条件等の設定ミスによる、画像の撮影ミスを未然に防ぐことができる。また、ユーザは撮影が終わってから、一番気に入った画像を選択することができるので、撮影技術のない人でも、うまく画像を撮影することができる。
【００５６】
上記実施の形態におけるオートフォーカス装置は、上記実施の形態に限定されるものではなく、撮影機能を有した携帯電話、時計、ＰＤＡ、静止画撮像機能付きムービーカメラ、カメラ付きパソコン等でもよく、要は被写体を撮影する機器を備えたものであればよい。
【図面の簡単な説明】
【００５７】
【図１】本発明の実施の形態のデジタルカメラのブロック図である。
【図２】デジタルカメラの動作を示すフローチャートである。
【図３】デジタルカメラの動作を示すフローチャートである。
【図４】デジタルカメラの動作を示すフローチャートである。
【図５】デジタルカメラの動作を示すフローチャートである。
【図６】画像表示部に表わされた画像を示す図である。
【図７】先幕シンクロ／後幕シンクロモードにおけるシャッターの開閉とストロボ発光の関係を示す図である。
【符号の説明】
【００５８】
１      デジタルカメラ
２      ＣＣＤ
３      ＣＣＤ
４      ＴＧ
５      ユニット回路
６      ＣＰＵ
７      ＤＲＡＭ
８      ＲＯＭ
９      ＲＡＭ
１０    画像表示部
１１    キー入力部
１２    カードＩ／Ｆ
１３    メモリ・カード
１４    第１の受光ユニットＡを構成するレンズ
１５    第２の受光ユニットＢを構成するレンズ
１６    第１の受光ユニットＡを構成する絞り兼用シャッター
１７    第２の受光ユニットＢを構成する絞り兼用シャッター
１８    第１の受光ユニットＡを構成するモータ駆動ブロック
１９    第２の受光ユニットＢを構成するモータ駆動ブロック
【図１】
2005109979.tif 000003
【図２】
2005109979.tif 000004
【図３】
2005109979.tif 000005
【図４】
2005109979.tif 000006
【図５】
2005109979.tif 000007
【図６】
2005109979.tif 000008
【図７】
2005109979.tif 000009